(57)【要約】【課題】工事時、保守点検時、異常時などに、作業員がホール端末９１〜９ｎやかご端末５のＩＤコード設定状態を容易に確認できるようにすること。【解決手段】エレベーターのホール呼び釦１１１〜１１ｎやかご運転盤７のかご呼び釦等を暗号操作することにより、既存の表示装置８や１２１〜１２ｎにＩＤコード設定状態を表示する。また、ホール端末９１〜９ｎやかご端末５が、伝送制御装置６、１０を介して号機制御装置１と通信していない場合、各端末局が独自にＩＤコード表示機能を実行できるようにした。更に、遠隔監視装置１５や保守ツール１６にも、ＩＤコード設定状態を表示可能とした。【効果】作業員は、昇降路内に入ることなく、ホールやかご３内あるいは遠隔監視装置１５や保守ツール１６から、各端末局のＩＤコード設定状態を確認でき、利便性を向上した。【選択図】　図１
2004051283.tif 000002
【特許請求の範囲】
【請求項１】
エレベーターの乗りかごの走行制御を行う号機制御装置と、エレベーターの乗り場付近に設置され、前記号機制御装置と信号伝送路で結ばれ、ホール呼び釦からの入力信号を取込み、このホール呼び釦の応答灯の点灯及び乗り場の表示装置の制御を行うホール端末装置を備えたエレベーター制御システムにおいて、前記乗り場でＩＤコードの表示を要求する操作手段と、この表示要求操作に応じて、前記ホール端末装置を識別するＩＤコードの設定状態を乗り場の表示装置に表示する表示手段を備えたことを特徴とするエレベーター制御システム。
【請求項２】
エレベーターの乗りかごの走行制御を行う号機制御装置と、この号機制御装置に組込まれた多重信号伝送用の伝送制御装置と、乗りかごに設置され前記伝送制御装置と多重信号伝送路で接続されたかご上端末装置と、乗り場付近に設置され、ホール呼び釦からの入力信号を取込み応答灯の点灯及び表示装置の制御を行うホール端末装置と、前記伝送制御装置とかご端末装置とホール端末装置間を接続する多重伝送路とを備えたエレベーター制御システムにおいて、前記ホール端末装置を識別するＩＤコード設定状態を乗り場の表示装置に表示する表示手段を設けたことを特徴とするエレベーター制御システム。
【請求項３】
請求項１又は２において、前記表示手段は、ホール呼び釦の特定の操作に応じて、前記ＩＤコード設定状態を表示することを特徴とするエレベーター制御システム。
【請求項４】
エレベーターの乗りかごの走行制御を行う号機制御装置と、エレベーターのかご内に設置され、前記号機制御装置と信号伝送路で結ばれ、かご呼び釦からの入力信号を取込み、このかご呼び釦の応答灯の点灯及びかご内の表示装置の制御を行うかご端末装置を備えたエレベーター制御システムにおいて、前記かご内でＩＤコードの表示を要求する操作手段と、この表示要求操作に応じて、前記かご端末装置を識別するＩＤコードの設定状態をかご内の表示装置に表示する表示手段を備えたことを特徴とするエレベーター制御システム。
【請求項５】
エレベーターの乗りかごの走行制御を行う号機制御装置と、この号機制御装置に組込まれた多重信号伝送用の伝送制御装置と、前記伝送制御装置と多重信号伝送路で接続された乗りかごに設置され、かご内運転盤からの入力信号を取込み応答灯の点灯及び表示装置の制御を行うかご上端末装置と、乗り場付近に設置されたホール端末装置と、前記伝送制御装置とかご端末装置とホール端末装置間を接続する多重伝送路とを備えたエレベーター制御システムにおいて、前記かご端末装置を識別するＩＤコード設定状態を乗りかご内の表示装置に表示する表示手段を設けたことを特徴とするエレベーター制御システム。
【請求項６】
請求項４又は５において、前記表示手段は、かご内のかご呼び釦の特定の操作に応じて、前記ＩＤコード設定状態を表示することを特徴とするエレベーター制御システム。
【請求項７】
請求項１〜６のいずれかにおいて、前記表示手段は、乗りかごの位置を表示する表示器を用いて前記ＩＤコード設定状態を表示することを特徴とするエレベーター制御システム。
【請求項８】
請求項１〜７のいずれかにおいて、前記表示手段は、前記号機制御装置からの許可信号に基き、前記ＩＤコードの表示を実行することを特徴とするエレベーター制御システム。
【請求項９】
請求項１〜７のいずれかにおいて、前記表示手段は、前記号機制御装置との信号伝送状態に応じて、前記端末装置の独自の処理に基き前記ＩＤコードの表示を実行することを特徴とするエレベーター制御システム。
【請求項１０】
エレベーターの乗りかごの走行制御を行う号機制御装置と、この号機制御装置に組込まれた多重信号伝送用の伝送制御装置と、前記伝送制御装置と多重信号伝送路で接続された乗りかごに設置され、かご内運転盤からの入力信号を取込み応答灯の点灯及び表示装置の制御を行うかご上端末装置と、乗り場付近に設置され、ホール呼び釦からの入力信号を取込み応答灯の点灯及び表示装置の制御を行うホール端末装置と、前記伝送制御装置とかご端末装置とホール端末装置間を接続する多重伝送路と、前記号機制御装置を含むエレベーターの状態を遠隔から監視する遠隔監視装置を備えたエレベーター制御システムにおいて、前記各かご端末装置及び各ホール端末装置を識別するＩＤコード設定状態を前記遠隔監視装置に表示する表示手段を備えたことを特徴とするエレベーター制御システム。
【請求項１１】
エレベーターの乗りかごの走行制御を行う号機制御装置と、この号機制御装置に組込まれた多重信号伝送用の伝送制御装置と、前記伝送制御装置と多重信号伝送路で接続された乗りかごに設置され、かご内運転盤からの入力信号を取込み応答灯の点灯及び表示装置の制御を行うかご上端末装置と、乗り場付近に設置され、ホール呼び釦からの入力信号を取込み応答灯の点灯及び表示装置の制御を行うホール端末装置と、前記伝送制御装置とかご端末装置とホール端末装置間を接続する多重伝送路と、前記号機制御装置に接続された保守ツールを備えたエレベーター制御システムにおいて、前記保守ツールにおける特定の操作に応じて、前記かご端末及びホール端末を識別するＩＤコード設定状態を前記保守ツールに表示する表示手段を備えたことを特徴とするエレベーター制御システム。
【発明の詳細な説明】
【０００１】
【発明の属する技術分野】
本発明は、エレベーター制御装置と各階及び乗りかご間に信号伝送装置を備えたエレベーター制御システムの改良に関する。
【０００２】
【従来の技術】
近年のエレベーター制御システムでは、エレベーター制御装置と、乗り場付近に設置するホール端末、及び乗りかごに設置するかご端末との間でデータの直列伝送を行うのが普通である。このようなシステムにおいて、各端末のＩＤコードを、各端末のディップスイッチ等のＩＤ設定スイッチにより設定することが、特開平４−８９７８３号公報に開示されている。これにより、各端末は、外部から信号を貰うことなく、自動的に内部の動作チェックを行うことができる。
【０００３】
【発明が解決しようとする課題】
上記従来技術では、工事時、保守点検時、異常時などに、作業員が各端末の端末局識別設定（ＩＤコード設定）を確認する上で大きな困難を伴っている。各階端末については、作業員が昇降路内に入り、かごの天井の上に乗り、かごを低速運転させながら、各階端末のＩＤスイッチの設定状態を確認する必要がある。一方、かご上端末についても、作業員は昇降路に入り、かご上のかご端末のＩＤスイッチの設定状態を確認する必要があり、作業性が問題となっている。
【０００４】
本発明の目的は、各端末のＩＤコードを、作業員が昇降路に入らずに確認、設定できるエレベーター制御システムを提供することである。
【０００５】
【課題を解決するための手段】
本発明の第１の特徴とするところは、ホール呼び釦を暗号操作することにより、乗り場に設置されている表示装置に、ホール端末のＩＤコード設定状態を表示することである。
【０００６】
本発明の第２の特徴とするところは、かご内の運転盤のかご呼び釦を暗号操作することにより、かご内に設置されている表示装置に、かご上端末のＩＤコード設定状態を表示することである。
【０００７】
本発明の他の特徴とするところは、据え付け工事時、故障時など、号機制御装置が動作していない場合等も考慮し、ホール端末、かご端末が伝送制御装置との通信を行っていない状態でも、各端末が独自の処理により、前記ＩＤコード表示機能を実行できるように構成したことである。
【０００８】
これにより作業員が容易に迅速且つ安全にホール端末、かご端末の局識別設定（ＩＤコード設定）を確認できる。
【０００９】
また、本発明の他の特徴とするところは、エレベーターの遠隔監視装置又は保守ツールからの操作により、遠隔監視装置又は保守ツール上に、ホール端末やかご端末の局識別（ＩＤコード）設定状態を表示することである。
【００１０】
これにより、エレベーターの遠隔監視装置又は保守ツールを操作して、ホール端末やかご端末の局識別（ＩＤコード）設定状態を確認できる。
【００１１】
本発明のその他の目的及び特徴は、以下の実施例の説明で明らかにする。
【００１２】
【発明の実施の形態】
以下、図面を用いて本発明の一実施例を説明する。
【００１３】
図１は、本発明の一実施例によるエレベーター制御システムの全体概略構成図である。機械室又は昇降路内に設置されるエレベーター制御盤（図示せず）内には、マイコンを利用した号機制御装置１が組込まれ、その内部に、伝送制御装置２を備えている。乗りかご３には、かご制御装置４が配置され、伝送制御装置２からのかご多重伝送路６に接続され、かご端末５と協働してかご３内に設置された運転盤７、かご呼び釦７１やかご位置表示器８を制御する。かご制御装置４は、その他ドアの制御などを行う。
【００１４】
１階〜ｎ階の乗り場に、ホール端末９１〜９ｎが設置され、伝送制御装置２とホール多重伝送路１０で接続されている。ホール端末９１〜９ｎは、１〜ｎ階乗り場のホール呼び釦１１１〜１１ｎからの信号の入出力処理及び乗り場のかご位置表示器１２１〜１２ｎの表示制御を行う。
【００１５】
ここで、各端末５，９１〜９ｎには、それらの端末局識別ＩＤ設定のために、ディップスイッチ等を用いたＩＤコード設定スイッチ１３、１４１〜１４ｎを備えている。これらのスイッチにより、多重伝送路６や１０上のかご端末５やホール端末９１〜９ｎの固有の端末局識別番号（ＩＤコード）を各スイッチのＯＮ−ＯＦＦの組合わせで設定することができる。
【００１６】
遠隔監視装置１５や保守ツール１６は、エレベーター制御装置の監視や保守を行うために、号機制御装置１に接続されており、保守、例えば以下に述べるＩＤコードの確認を行う場合には、その旨を号機制御装置１に書き込むことができる。通常、この書込みを行った場合のみ、ＩＤコード表示許可モードとなり、各端末５，９１〜９ｎの端末局識別ＩＤの設定状態の表示を可能にしている。
【００１７】
ホール端末９１〜９ｎ及びかご端末５に搭載したマイクロコンピュータに、通常機能である端末の信号伝送制御用プログラム、入出力信号制御用プログラム及び端末点検用プログラムの他に、ＩＤコード表示プログラムを設定している。
【００１８】
ＩＤコード表示プログラムは、多重信号伝送用の伝送制御装置２が、ＩＤコード表示許可モードにあるときに、端末に対し暗号操作入力が行われれば、表示装置にＩＤコード設定状態を一定時間だけ表示し、通常表示に復帰させる。暗号操作としては、ホール呼び釦１１１〜１１ｎ又はかご呼び釦７１を用いた予定の操作としている。この暗号操作が行われた場合、乗り場又はかご内のかご位置表示器を用いて、ＩＤコード設定状態を一定時間表示させる。かご位置表示器８や１２１〜１２ｎへの端末局ＩＤの表示は、例えば、かご端末５は文字「Ｃ」を表示し、ホール端末９１〜９ｎは文字「１Ｆ」〜「ｎＦ」等を表示する程度で十分である。
【００１９】
多重信号伝送用の伝送制御装置２が、ＩＤコード表示許可モードになければ、このＩＤコード表示機能は動作しない。但し、何らかの理由で、伝送制御装置２から端末への信号が無い場合には、このＩＤコード表示機能を動作させる。
【００２０】
以上は、ホール端末９１〜９ｎによるホールでのＩＤコード設定状態の表示動作に関しての説明であるが、かご端末５に関しても同様であり、詳細は省略する。
【００２１】
また、遠隔監視装置１５又は保守ツール１６から、ＩＤコード確認要求を号機制御装置１が受付けた場合は、伝送制御装置２が該当する端末に対しＩＤコード設定状態の送信を要求する。該当端末は、ＩＤコード表示プログラムにより、伝送制御装置２に自端末局のＩＤコード設定状態を送信する。このＩＤコード設定状態を、号機制御装置１から遠隔監視装置１５又は保守ツール１６に転送して、遠隔監視装置１５又は保守ツール１６上に表示させる。
【００２２】
これにより、ホール端末９１〜９ｎやかご端末５のＩＤコード設定状態を容易に確認することができる。
【００２３】
以上の動作の概要は、ホール端末９１〜９ｎの内蔵コンピュータのプログラムに基き、図２〜図８に示す処理フローチャートにより実行される。
【００２４】
図２は、ホール端末における通常処理のフローチャートを示す。ステップ２０１では、号機制御装置１から多重伝送路１０を通して得られた信号が、自局（自端末）への信号であるかどうかを確認する。具体的には、信号のヘッダとディップスイッチ等のＩＤコード設定スイッチ１４１〜１４ｎで設定されている自局のＩＤコードを比較照合する。自局への信号であれば、ステップ２０２の受信処理を開始し、対応する階床のかご位置表示器１２１〜１２ｎやホール呼び釦１１１〜１１ｎの応答灯を点灯させる等の処理を行う。ステップ２０３では、受信データの水平パリティーをチェックし、受信処理が成功していれば、ステップ２０４でＩＮＤ（表示）データ受信フラグをＯＮにして、ステップ２０５で号機制御装置１への返信処理を行う。このとき、乗り場からのホール呼び釦１１１〜１１ｎの入力データなどを号機制御装置１へ送信する。
【００２５】
図３は、ホール端末におけるＩＤコード設定状態表示処理のメインフローチャートである。まず、ステップ３０１にて、号機制御装置１からホール多重伝送路１０を介して得られた信号に、遠隔監視装置１５からのＩＤ設定状態の表示要求に対する処理を行う。詳細は図４で後述する。次にステップ３０２にて、保守ツール１６からのＩＤ設定状態の表示要求に対する処理を行う。詳細は図５にて後述する。次に、ステップ３０３では、図２中のステップ２０４のＩＮＤ（表示）データ受信フラグを用いて、号機制御装置１との通信が行われていない場合に限り、端末独自でのＩＤ設定状態表示処理を行う。次に、ステップ３０４で、通常のホール呼び釦１１１〜１１ｎからの信号の入出力処理を行う。ステップ３０５では、号機制御装置（ホスト）１が、前述したＩＤ設定状態表示許可モードになっているか否かを判定する。表示許可モードになっていれば、ステップ３０６において、ホール呼び釦１１１〜１１ｎの暗号操作によるＩＤ設定状態の表示許可処理を開始する。
【００２６】
このように、通常のエレベーター運転時に、一般利用者が表示内容を誤解しないよう、保守、点検時などにのみ、号機制御装置１からＩＤ表示許可信号を与え、暗号操作によるＩＤ設定状態の表示を行えるように制限している。その後、ステップ３０７において、乗り場の表示装置への表示処理を行ない、乗り場のかご位置表示器１２１〜１２ｎは、通常のかご位置を表示するか、又は、ＩＤ設定状態表示を行う。
【００２７】
図４は、遠隔監視装置１５からのＩＤコード設定状態確認要求への、ホール端末における対応処理フローチャートであり、図３のステップ３０１の詳細を示すものである。ステップ４０１にて、電話回線等により、エレベーターの設置された建屋外の遠隔監視装置１５や、建屋内の管理室等に設置された監視装置（図示せず）等からのＩＤ設定状態の確認要求があるか否かを判定する。ここで確認要求がある場合は、ステップ４０２で、自端末局のＩＤ設定状態を遠隔監視装置１５あるいは管理室の監視装置へ返信処理する。ステップ４０１で設定状態の確認要求が無いと判断すれば、図３のメイン処理に戻る。
【００２８】
図５は、保守ツールからのＩＤコード設定状態確認要求への、ホール端末における対応処理フローチャートであり、図３のステップ３０２の詳細を示したものである。ステップ５０１にてエレベーター装置に保守ツール１６が接続されているか否かを判定する。保守ツール１６が接続されていれば、ステップ５０２にて保守ツール１６からのＩＤ設定状態の確認要求があるか否かを判定する。ここで確認要求がある場合は、ステップ５０３で自端末局のＩＤ設定状態を保守ツール１６へ返信処理する。ステップ５０１において保守ツールが接続されていない、もしくはステップ５０２でＩＤ設定状態の表示要求が無いと判断すれば、図３のメイン処理に戻る。
【００２９】
図６は、ホール端末独自でＩＤコード設定状態の表示を許可する処理フローチャートであり、図３中のステップ３０３の詳細を示したものである。ステップ６０１では、図２のステップ２０４で生成するＩＮＤ（表示）データ受信フラグを読み、号機制御装置１との通信が行なわれているか否かを判断する。ＩＮＤデータ受信フラグが無ければ、ステップ６０２にてタイムアウトカウンタの内容に＋１［秒］を加える。次にステップ６０３にて、タイムアウトカウンタの内容が１［分］以上になったか否かを判定し、１［分］以下の場合は、４０［ｍｓ］後の次回の周期の判断に委ね、今回の処理を終了する。他方、タイムアウトカウンタの内容が１［分］以上であれば、号機制御装置１との通信が無いものと判断し、ホール端末独自で、ＩＤコード設定状態の表示を許可できるものと判断する。そこでステップ６０４にて、ホール呼び釦１１１〜１１ｎの暗号操作によるＩＤ設定状態の表示許可処理を開始する。これにより、保守員は、ホール呼び釦を暗号操作することで、ＩＤ設定状態を乗り場のかご位置表示器１２１〜１２ｎにて確認することができる。
【００３０】
ステップ６０１で、ＩＮＤ（表示）データ受信フラグが有ると判断した場合には、ステップ６０５で、タイムアウトカウンタの内容をクリアし、ステップ６０６でＩＮＤデータ受信フラグをクリアし、図３の処理に戻る。
【００３１】
図７は、ホール端末におけるＩＤコード表示要求暗号受付処理及びＩＤコード表示処理フローチャートであり、図３のステップ３０６及び図６のステップ６０４の詳細を示すものである。この処理により、乗客が利用する乗り場のホール呼び釦１１１〜１１ｎを暗号操作することで、その乗り場のホール端末９１〜９ｎのＩＤ設定状態を乗り場に設置されているかご位置表示器１２１〜１２ｎへ表示することができる。
【００３２】
まず、ステップ７０１においてホール呼び釦が押されているかを判定する。押されている場合は、ステップ７０２で、１０［秒］間押し続けられているか（暗号操作されているか）を判定する。ホール呼び釦が１０［秒］間押されていればステップ７０３にて、ＩＤ設定表示許可フラグをＯＮにする。次にステップ７０４において、表示時間が５秒経過したか判定する。経過していなければ、ステップ７０５で表示時間のカウンタ内容に＋１［秒］し、図３のメイン処理に戻り、ステップ３０７にて、ＩＤ設定状態表示処理を行う。これをＩＤ設定状態表示時間が５［秒］経過するまで繰り返す。ステップ７０４で、表示時間が５［秒］経過したと判定すれば、ステップ７０６で表示時間カウンタの内容をクリアし、ステップ７０７で表示許可フラグをクリアし、更にステップ７０８にて、ホール呼び釦押し時間カウンタの内容をクリアし、図３の処理へ戻る。
【００３３】
さて、ステップ７０１において、ホール呼び釦が押されていないと判定した場合は、ステップ７０９にて、ＩＤ設定表示許可フラグがＯＮになっているか判定する。ＩＤ設定表示許可フラグがＯＮになっていない場合は、ホール呼び釦の暗号操作は行なわれていないと判断し、ステップ７１０にてホール呼び釦の押し時間をクリアし、ＩＤ設定表示を行なわず図３の処理へ戻る。ステップ７０９において、ＩＤ設定表示許可フラグがＯＮとなっている場合には、既にホール呼び釦の暗号操作が行なわれていると判断し、前述したステップ７０４以下の処理を行う。また、ステップ７０１において、ホール呼び釦が押されていると判断したものの、ステップ７０２において、１０［秒］以上は押されていないと判定している場合は、ステップ７１１でＩＤ設定表示許可フラグがＯＮになっているかを確認する。ＩＤ設定表示許可フラグがＯＮになっている場合は、既にホール呼び釦の暗号操作が行なわれたと判断し、ステップ７０４以下の処理を行う。また、ステップ７１１でＩＤ設定表示許可フラグが無いと判断した場合は、ホール呼び釦の暗号操作を行なっている途中と判断し、ステップ７１２にてホール呼び釦の押し時間カウンタの内容に＋１［秒］して今回の処理を終了する。この場合は、４０［ｍｓ］後の次回又はそれ以降の処理にて、暗号操作を認識し、ＩＤ設定状態の表示を行うことになる。
【００３４】
図８は、ホール端末における表示器制御処理フローチャートであり、図３のステップ３０７の詳細を示したものである。ステップ８０１では、図７中のステップ７０３においてＩＤ設定表示許可フラグがＯＮされたか否かを判定する。ＩＤ設定表示許可フラグがＯＮされている場合は、ステップ８０２においてかご位置表示器１２１〜１２ｎにＩＤ設定状態を表示する。ステップ８０１において、ＩＤ設定表示許可フラグがＯＮされていないと判断した場合は、通常運転処理と判定し、ステップ８０３にて、かご位置表示器１２１〜１２ｎには、通常通りに、現在のかごの位置する階床を表示する。
【００３５】
かご端末５の端末局ＩＤの確認や設定についても、保守員が、かご３内で運転盤７のかご呼び釦を暗号操作することで、かご位置表示器８にＩＤ設定状態を表示することにより、全く同様に実行できる。
【００３６】
以上の実施例の構成を要約すると次の通りである。まず、エレベーターの乗りかご３の走行制御を行う号機制御装置１と、この号機制御装置１に組込まれた多重信号伝送用の伝送制御装置２を備えている。乗りかご３には、この伝送制御装置２と多重信号伝送路６で接続され、かご内運転盤７からの入力信号を取込み応答灯の点灯及び表示装置８の制御を行うかご上端末装置５を備えている。一方、乗り場付近には、ホール呼び釦１１１〜１１ｎからの入力信号を取込みそれらの応答灯の点灯及びかご位置表示装置１２１〜１２ｎの制御を行うホール端末装置９１〜９ｎを備えている。また、前記伝送制御装置２とかご端末装置５とホール端末装置９１〜９ｎ間を接続する多重伝送路６、１０を備えている。更に、前記号機制御装置１を含むエレベーターの状態を遠隔から監視する遠隔監視装置１５と、前記号機制御装置１に接続された保守ツール１６を備えている。このシステムにおいて、かご内でＩＤコードの表示を要求する操作手段と、乗り場でＩＤコードの表示を要求する操作手段とを設ける。これらの表示要求操作に応じて、かご端末装置５を識別するＩＤコード設定状態を、乗りかご３内のかご位置表示装置８に表示する表示手段を備えている。一方、各ホール端末装置９１〜９ｎを識別するＩＤコード設定状態を、乗り場のかご位置表示装置１２１〜１２ｎに表示する表示手段を備えている。また、遠隔監視装置１５又は保守ツール１６からの確認要求に応じて、各端末装置を識別するＩＤコード設定状態を、遠隔監視装置１５又は保守ツール１６上に表示する表示手段を備えている。
【００３７】
この実施例によれば、各端末局のＩＤコードの設定状態を、乗り場やかご内の既存の呼び釦等を暗号操作し、既存の表示装置に表示できる。したがって、工事時、保守点検時、故障時等に、端末のＩＤコード設定状態を、昇降路内に入ることなく、容易に確認することができる。
【００３８】
また、保守ツールや遠隔監視装置などからも、同様に容易にＩＤコード設定状態を確認することができ、保守性、工事性を向上することができる。
【００３９】
【発明の効果】
本発明によれば、エレベーター制御システムにおけるホール端末又はかご端末のＩＤコード設定状態を、昇降路に入ることなく確認することができる。
【００４０】
また、既存の装置の入力操作と、既存の表示装置への表示により、新たな設備を付加する必要なく、容易に端末のＩＤ設定状態を確認することができる。
【図面の簡単な説明】
【図１】本発明の一実施例によるエレベーター制御システムの全体概略構成図。
【図２】ホール端末における通常の制御処理のフローチャート。
【図３】ホール端末におけるＩＤコード設定状態表示処理のフローチャート。
【図４】遠隔監視装置からのＩＤコード設定状態確認要求への対応処理フローチャート。
【図５】保守ツールからのＩＤコード設定状態確認要求への対応処理フローチャート。
【図６】ホール端末独自でＩＤコード設定状態の表示を許可する処理フローチャート。
【図７】ＩＤコード表示要求暗号受付処理及びＩＤコード表示処理フローチャート。
【図８】ホール端末における表示器制御処理フローチャート。
【符号の説明】
１…号機制御装置、２…伝送制御装置、３…乗りかご、４…かご制御装置、５…かご端末、６…かご多重伝送路、７…かご内運転盤、７１…かご呼び釦、８…かご内のかご位置表示器、９１〜９ｎ…ホール端末、１０…ホール多重伝送路、１１１〜１１ｎ…ホール呼び釦、１２１〜１２ｎ…乗り場のかご位置表示器、１３、１４１〜１４ｎ…ＩＤコード設定スイッチ、１５…遠隔監視装置、１６…保守ツール。
【図１】
2004051283.tif 000003
【図２】
2004051283.tif 000004
【図３】
2004051283.tif 000005
【図４】
2004051283.tif 000006
【図５】
2004051283.tif 000007
【図６】
2004051283.tif 000008
【図７】
2004051283.tif 000009
【図８】
2004051283.tif 000010